(57)【要約】【課題】例えば、所定の人物に対して、情報処理装置の所定の機能を実行させないようにすること。【解決手段】所定の人物の所定の動作態様を検知した場合に、所定の機能が実行されないように制御する制御部１１０を備える。【選択図】図１
2015095795.tif 000002
【特許請求の範囲】
【請求項１】
所定の人物の所定の動作態様を検知した場合に、所定の機能が実行されないように制御する制御部
を備える情報処理装置。
【請求項２】
前記制御部は、前記所定の人物に前記所定の動作態様をとらせるべく仕向けるコンテンツを出力した後に、前記所定の人物の所定の前記動作態様を検知した場合に、前記所定の機能が実行されないように制御する
請求項１に記載の情報処理装置。
【請求項３】
前記制御部は、前記所定の機能を実行するための入力操作が成された場合に、前記コンテンツを出力する
請求項２に記載の情報処理装置。
【請求項４】
前記制御部は、前記コンテンツとして、共通の種類の人物がそれぞれ属する複数のカテゴリのうち、前記所定の人物が属し得るカテゴリに属する多くの人物が共感するコンテンツを出力する
請求項２又は３に記載の情報処理装置。
【請求項５】
前記制御部は、前記コンテンツとして、前記所定の人物のみが共感するコンテンツを出力する
請求項２又は３に記載の情報処理装置。
【請求項６】
前記制御部は、前記動作態様として、前記所定の人物の所定の表情を検知した場合に、前記所定の機能が実行されないように制御する
請求項１から５のいずれか一項に記載の情報処理装置。
【請求項７】
前記制御部は、前記動作態様として、前記所定の人物の音声を検知した場合に、前記所定の機能が実行されないように制御する
請求項１から６のいずれか一項に記載の情報処理装置。
【請求項８】
所定の人物の所定の動作態様を検知した場合に、所定の機能が実行されないように制御する制御段階
を備える情報処理方法。
【請求項９】
コンピュータを、
所定の人物の所定の動作態様を検知した場合に、所定の機能が実行されないように制御する制御部
として機能させるプログラム。
【請求項１０】
コンピュータを、
所定の人物の所定の動作態様を検知した場合に、所定の機能が実行されないように制御する制御部
として機能させるプログラムを記録した記録媒体。
【発明の詳細な説明】
【技術分野】
【０００１】
本発明は、情報処理装置、情報処理方法、プログラム及び記録媒体に関する。
【背景技術】
【０００２】
本発明に関連する技術としては、様々なものが知られている（例えば、特許文献１〜３参照。）。
【０００３】
例えば、特許文献１には、子供のいたずら等によって不要な発信等が成されることのないようにしたチャイルドロック機能を備えた電話機が記載されている。より具体的に説明すると、この電話機は、電話機の機能の一部を不動作状態とする。このようにして、この電話機によっては、子供のいたずら等による誤発信及び着信の誤操作を防ぐことができる。
【０００４】
また、例えば、特許文献２には、電話機を用いて緊急発信を行う際の使用者に対する操作上の緊急発信支援方法が記載されている。より具体的に説明すると、この緊急発信支援方法は、緊急ボタンが使用者により操作されたとき、発呼先の候補、及び各候補に対応するボタンの記号や名称を、複数組、画面上にリスト表示する。そして、この緊急発信支援方法は、画面上でいずれかの候補に対応付けられているボタンが使用者により操作されたときに、そのボタンに対応付けられている候補が緊急発信先として選択されたものと判断し、その緊急発信先に対する呼を発する。このようにして、この緊急発信支援方法によっては、緊急ボタンを用いた技術の長所である発信の迅速性という利点を引き続き維持しつつ、誤報を減らすことができる。
【０００５】
また、例えば、特許文献３には、操作開始に応答して撮像した画像データを、予め記憶の照合用データと照合して、使用者の認証を行う使用者認証機能付き携帯通信端末が記載されている。より具体的に説明すると、この使用者認証機能付き携帯通信端末は、照合が一致しない場合に、撮像した画像データを外部に送信し、且つ、通信動作を継続させる。このようにして、この使用者認証機能付き携帯通信端末によっては、不正使用者の逆探知ができる。
【先行技術文献】
【特許文献】
【０００６】
【特許文献１】特開平７−７４８１９号公報
【特許文献２】特開平１１−３３９１７１号公報
【特許文献３】特開２００２−２６１９１４号公報
【発明の概要】
【発明が解決しようとする課題】
【０００７】
ところで、携帯電話は、入力操作に応じて、様々な表示画像を表示する。また、携帯電話は、入力操作に応じて、様々な音を出力する。そのため、携帯電話は、幼児に玩具として扱われて、意図しない機能が実行されてしまうことがある。
【０００８】
特許文献１〜３に記載の発明によっては、このような課題を解決することができない。
【０００９】
本発明の目的は、上述した課題を解決する情報処理装置、情報処理方法、プログラム及び記録媒体を提供することにある。
【課題を解決するための手段】
【００１０】
上記課題を解決するために、本発明の第１の形態によると、情報処理装置であって、所定の人物の所定の動作態様を検知した場合に、所定の機能が実行されないように制御する制御部を備える。
【００１１】
本発明の第２の形態によると、情報処理方法であって、所定の人物の所定の動作態様を検知した場合に、所定の機能が実行されないように制御する制御段階を備える。
【００１２】
本発明の第３の形態によると、プログラムであって、コンピュータを、所定の人物の所定の動作態様を検知した場合に、所定の機能が実行されないように制御する制御部として機能させる。
【００１３】
本発明の第４の形態によると、記録媒体であって、コンピュータを、所定の人物の所定の動作態様を検知した場合に、所定の機能が実行されないように制御する制御部として機能させるプログラムを記録した。
【００１４】
なお、上記の発明の概要は、本発明の必要な特徴の全てを列挙したものではない。また、これらの特徴群のサブコンビネーションもまた、発明となり得る。
【発明の効果】
【００１５】
以上の説明から明らかなように、この発明によっては、例えば、所定の人物に対して、情報処理装置の所定の機能を実行させないようにすることができる。
【図面の簡単な説明】
【００１６】
【図１】一実施形態に係る携帯電話１００のハードウェア構成の一例を示す図である。
【図２】第１の実施形態のイメージを示す図である。
【図３】第１の実施形態のフローを示す図である。
【図４】第２の実施形態のイメージを示す図である。
【図５】第２の実施形態のフローを示す図である。
【発明を実施するための形態】
【００１７】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１８】
図１は、一実施形態に係る携帯電話１００のブロック構成の一例を示す。携帯電話１００は、無線通信を利用した、持ち歩ける電話機である。なお、携帯電話１００は、この発明における「情報処理装置」の一例であってもよい。
【００１９】
携帯電話１００は、図示しないメモリインタフェース、図示しないデータプロセッサ、図示しない画像プロセッサ、及び／又はプロセッサ１１０と、図示しない周辺インタフェースとを含むことができる。メモリインターフェースやプロセッサ１１０や周辺インタフェースは、個別部品であってもよいし、集積回路に統合されてもよい。携帯電話１００の様々な構成要素は、例えば、通信バス又は信号線によって接続されてもよい。なお、プロセッサ１１０は、この発明における「制御部」の一例であってもよい。
【００２０】
携帯電話１００においては、センサ、機器、サブシステムが、多数の機能を容易にするため、周辺インタフェースに接続されてもよい。センサは、例えば、図示しない角速度センサ、図示しない磁力計センサである。携帯電話１００においては、地理的位置を提供するために、図示しない位置プロセッサを周辺インタフェースに接続することができる。携帯電話１００においては、携帯電話１００の速度変化や移動方向の変化を判定するために使用可能なデータを提供するため、図示しない加速度計もまた周辺インタフェースに接続することができる。
【００２１】
携帯電話１００においては、図示しないカメラサブシステム及び光学センサ１６０、例えば、電荷結合素子又は相補型金属酸化物半導体光学センサを、写真やビデオクリップの記録のようなカメラ機能を補助するために用いてもよい。
【００２２】
携帯電話１００は、無線周波数受信機及び送信機や光学受信機及び送信機を含むことができる無線通信サブシステム１２０を通じて、通信機能が補助されてもよい。無線通信サブシステム１２０の具体的な設計及び実装は、携帯電話１００が動作しようとする通信ネットワークに依存するものであってもよい。例えば、携帯電話１００は、ＧＳＭ（登録商標）ネットワーク、ＧＰＲＳ（Ｇｅｎｅｒａｌ  Ｐａｃｋｅｔ  Ｒａｄｉｏ  Ｓｅｒｖｉｃｅ）ネットワーク、ＥＤＧＥ（Ｇｎｈａｎｃｅｄ  Ｄａｔａ  ＧＳＭ  Ｅｎｖｉｒｏｎｍｅｎｔ）ネットワーク、Ｗｉ−Ｆｉ（Ｗｉｒｅｌｅｓｓ  Ｆｉｄｅｌｉｔｙ）ネットワーク及びブルートゥース（登録商標）ネットワークを通じて動作するように設計された無線通信サブシステム１２０を含むことができる。
【００２３】
また、携帯電話１００は、タッチスクリーン１３０、他の入力／制御機器１４０、メモリ１５０、スピーカ１７０及びマイク１８０を備える。
【００２４】
タッチスクリーン１３０、又は他の入力／制御機器１４０の入力変化を検出することにより、入力変化に伴う緊急通報を起動するなどの変化をタッチスクリーン１３０に表示する。光学センサ１６０で取得した画像をプロセッサ１１０にて解析し、メモリ１５０に予め記憶させた幼児の顔が含まれているか否かを判断する。また、緊急通報の起動を選択したとき等にメモリ１５０に予め記憶させたＴＶアニメキャラクターの決まり文句や母親の音声等の音声をスピーカ１７０より出力する。また、マイク１８０で取得した音から周波数成分をプロセッサ１１０が分析し、幼児の明るい声が含まれているか否かを判断する。プロセッサ１１０が無線通信サブシステム１２０を制御することによりネットワークとの通信を確立する。なお、幼児は、この発明における「所定の人物」の一例であってもよい。また、ＴＶアニメキャラクターの決まり文句や母親の音声は、この発明における「所定の人物に所定の動作態様をとらせるべく仕向けるコンテンツ」の一例であってもよい。また、ＴＶアニメキャラクターの決まり文句は、この発明における「共通の種類の人物がそれぞれ属する複数のカテゴリのうち、所定の人物が属し得るカテゴリに属する多くの人物が共感するコンテンツ」の一例であってもよい。また、母親の音声は、この発明における「所定の人物のみが共感するコンテンツ」の一例であってもよい。
【００２５】
図２に第１のの実施形態のイメージを示す。図２（ａ）に示すように、ロック画面にて緊急通報を選択する入力操作が成された場合、図２（ｂ）に示すように、ＴＶアニメキャラクターの決まり文句等の音声を出力する。そして、光学センサ１６０より取得した画像から顔と認識できた部分を抽出する。そして、図２（ｃ）に示すように、音声出力による楽しい演出効果より幼児が明るい笑顔となり予め登録した顔と一致した場合、図２（ｄ）に示すように、緊急通報機能を起動せず、元のロック画面に戻る。なお、幼児が明るい笑顔となることは、この発明における「所定の動作態様」及び「所定の表情」の一例であってもよい。
【００２６】
図３で第１の実施形態のフローを示す。ロック画面表示中に（Ｓ３０１）、緊急通報を選択した場合（Ｓ３０２）、ＴＶアニメキャラクターの決まり文句や母親の音声など幼児が笑顔になるような音声を出力開始後（Ｓ３０３）、カメラ起動する（Ｓ３０４）。ここで取得した画像から顔と認識できた部分を抽出し、予め登録しておいた幼児の画像と一致した場合（Ｓ３０５：ＹＥＳ）、カメラ停止し（Ｓ３０６）、音声出力を停止し（Ｓ３０７）、緊急通報を起動せずにロック画面表示に戻る（Ｓ３０１）。また、ステップＳ３０５でカメラ画像から取得した顔と予め登録しておいた画像が不一致の場合（Ｓ３０５：ＮＯ）、一定時間経過後にカメラ停止し（Ｓ３０８）、音声出力停止し（Ｓ３０９）、緊急通報を起動する（Ｓ３１０）。
【００２７】
図４にて第２の実施形態のイメージを示す。第１の実施形態では緊急通報の起動を停止させるための条件として、カメラ部より取得した画像から抽出した顔が予め登録した顔と一致した場合としていたが、第２の実施形態では顔の一致、または、幼児の明るい声を検知した場合の何れかとする。なお、幼児の明るい声は、この発明における「所定の動作態様」の一例であってもよい。
【００２８】
図４（ａ）に示すように、ロック画面表示中に緊急通報を選択した場合、図４（ｂ）に示すように、ＴＶアニメキャラクターの決まり文句等の音声を出力する。そして、光学センサ１６０より取得した画像から顔と認識できた部分の抽出、マイク１８０にて取得した音の周波数成分を分析し、幼児の明るい声が含まれているかの確認を開始する。図４（ｃ）に示すように、音声出力による楽しい演出効果より、幼児が明るい笑顔となり予め登録した顔と一致、または、幼児の明るい声を検知できた場合、図４（ｄ）に示すように、緊急通報を起動せず、元のロック画面に戻る。
【００２９】
本例では、緊急通報の起動を停止する条件を増やしている。緊急通報を本来の目的とは異なる状況で安易に起動させてしまうことを排除したいためである。ここでは、幼児の明るい声の検知を例とし追加したが、手段は他にもあると考えられる。
【００３０】
図５で第２の実施形態のフローを示す。ロック画面表示中に（Ｓ５０１）、緊急通報を選択した場合（Ｓ５０２）、ＴＶアニメキャラクターの決まり文句や母親の呼びかけなど幼児が笑顔になるような音声を出力開始後（Ｓ５０３）、カメラ起動し（Ｓ５０４）、マイク起動する（Ｓ５０５）。ここで取得した画像から顔と認識できた部分を抽出し、予め登録しておいた幼児の画像と一致した場合（Ｓ５０６：ＹＥＳ）、カメラ停止し（Ｓ５０８）、マイク停止し（Ｓ５０９）、音声出力を停止し（Ｓ５１０）、緊急通報を起動せずにロック画面表示に戻る（Ｓ５０１）。ステップＳ５０６でカメラ画像から取得した顔と予め登録しておいた画像が不一致の場合（Ｓ５０６：ＮＯ）、マイクで取得した音の周波数成分を分析し、幼児の明るい声を検知できた場合（Ｓ５０７：ＹＥＳ）、同様にカメラ、マイク、音声出力を停止し（Ｓ５０８〜Ｓ５１０）、ロック画面表示に戻る（Ｓ５０１）。また、ステップＳ５０７で幼児の声を検知できない場合（Ｓ５０７：ＮＯ）、一定時間経過後にカメラ停止し（Ｓ５１１）、マイク停止し（Ｓ５１２）、音声停止し（Ｓ５１３）、緊急通報を起動する（Ｓ５１４）。
【００３１】
以上、説明したように、本発明では、画面をロック設定している携帯電話１００で緊急通報の起動を選択した時、カメラから取得した顔の画像解析により予め登録済みの顔と同一であることを認識できた場合に、緊急通報を起動せずロック画面に戻る。これにより、幼児が画面ロック設定した携帯電話１００を玩具として操作し、緊急通報機能を起動させて遊びながら入力した数字が偶然に１１０番、１１９番の場合に本来の目的ではない状況で緊急通報発呼してしまうことを防止する。
【００３２】
携帯電話１００は、予めファームウェアとして格納された処理プログラムを読み出して実行することで、情報処理装置として機能する。
【００３３】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００３４】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【００３５】
１００  携帯電話
１１０  プロセッサ
１２０  無線通信サブシステム
１３０  タッチスクリーン
１４０  他の入力／制御機器
１５０  メモリ
１６０  光学センサ
１７０  スピーカ
１８０  マイク
【図１】
2015095795.tif 000003
【図２】
2015095795.tif 000004
【図３】
2015095795.tif 000005
【図４】
2015095795.tif 000006
【図５】
2015095795.tif 000007